(57)【要約】【課題】歯科用振動治療具において、従来のチップ（作業工具）は、振動体にネジで取り付けるため、チップ先がどの方向を向いて固定されるか特定できない。そこで、ハンドピース先端から放射される光をリング状にしているが、照射範囲が狭く、チップの先端を効果的に照らすことができない。【解決手段】振動子１を内蔵したハンドピース本体５と、振動子１に連結され該振動体２と、振動体２に着脱自在に螺着されるチップ２０と、ハンドピース本体５内に配設されたライトガイド４とを有し、該ライトガイド４を通して伝送されてくる光をハンドピース本体５の先端部よりチップ２０の先端部近傍に向けて照射する。ハンドピース本体５の先端部にチップ２０の軸を囲むように同心円上に複数のライトガイド４1〜４nを有し、該ライトガイド４の出光端４′が外周方向に向けて配設され、ライトガイド４を通して伝送されてきた光を外周方向に向けて放射する。【選択図】図１
2005204764.tif 000002
【特許請求の範囲】
【請求項１】
振動子を内蔵したハンドピースハウジングと、前記振動子に連結された振動体と、該振動体に着脱自在に螺着されるチップと、前記ハンドピースハウジング内に配設された多数本のライトガイドとを有し、該ライトガイドを通して伝送されてくる光を前記ハンドピースハウジングの先端部より前記チップの先端部近傍に向けて照射するようにした歯科用振動治療具において、前記ハンドピースハウジングの先端部に該ハンドピースハウジングの中心軸を囲むように同心円上に複数のライトガイドを有し、該ライトガイドの出光端が該ハンドピースハウジングの外周方向に向けて傾斜して配設され、前記ライトガイドを通して伝送されてきた光を該ハンドピースハウジングの中心軸外周方向に向けて斜めに放射するようにしたことを特徴とする歯科用振動治療具。
【発明の詳細な説明】
【技術分野】
【０００１】
本発明は、歯科治療において、歯石除去、ルートプレーニング（Root  Plainning）、根管の拡大、洗浄等を行うのに使用する振動子付き歯科用振動治療具に関する。
【背景技術】
【０００２】
歯科治療においては、歯石の除去、根面の平面化（Root  Plainning）、根管の拡大、洗浄等を行うために、最近では、一般的には、超音波振動子やエアー振動子を用いたハンドピースを使用している。
【０００３】
図２（Ａ）は、超音波振動子を用いたハンドピース１０の例としての周知の超音波スケーラ（scaler)の一例を説明するための要部断面構成図、図２（Ｂ）は、図２（Ａ）の矢印Ｂ−Ｂ線方向から見た図で、図中、１は超音波振動子、２は該超音波振動子１の振動が伝搬される超音波振動体、３は接続プラグ部、４（４1〜４n）はライトガイドで、これらがハンドピース本体５内に収納され、前記超音波振動体２にチップ（作業工具）２０が着脱自在に螺着され、該チップ２０が超音波振動されて歯石の除去が行われる。また、光源ランプからの光がライトガイド４（４1〜４n）内に導入され、該ライトガイド４（４1〜４n）を通してハンドピース本体の先端部にまで伝達され、該先端部より、図２（Ｂ）に４1〜４nにて示すように、同心円状に放射されてチップ２０の先端部（作業部）を照明するようにしている。
【０００４】
従来の歯科用超音波治療具は、前述のように、チップ（作業工具）２０は、超音波振動体２にねじ等によって着脱可能に装着されるようになっているが、螺着した時のチップ２０の向きが、どちらに向くかは不定であり、そのため、チップ２０がどちらを向いてもよいように、ライトガイド４を多数本（４1〜４n）用い、その光放出端を、図２（Ｂ）に示したように、同心円上に配設している（例えば、特許文献１参照）。
【特許文献１】特開平９−１０２２７号公報
【発明の開示】
【発明が解決しようとする課題】
【０００５】
上述のように、歯科用超音波振動（又はエアー振動）治療具において、従来のチップ（作業工具）は、振動体にネジで取り付けるため、チップ先がどの方向を向いて固定されるか特定できない。そこで、一般的には、ハンドピース先端から放射される光をリング状にしている。しかし、径方向への照射範囲は狭く、チップ２０の先は図示のように曲がっており、特に、図３に示すような根管治療を行うために、チップ２０の先端にＵファイルやプラガー２０′を取り付けるタイプの先端（治療部位）を照らすことは不可能である。
【課題を解決するための手段】
【０００６】
本発明は、振動子を内蔵したハンドピースハウジングと、前記振動子に連結された振動体と、該振動体に着脱自在に螺着されるチップと、前記ハンドピースハウジング内に配設された多数本のライトガイドとを有し、該ライトガイドを通して伝送されてくる光を前記ハンドピースハウジングの先端部より前記チップの先端部近傍に向けて照射するようにした歯科用振動治療具において、前記ハンドピースハウジングの先端部に該ハンドピースハウジングの中心軸を囲むように同心円上に複数のライトガイドを有し、該ライトガイドの出光端が該ハンドピースハウジングの外周方向に向けて傾斜して配設され、前記ライトガイドを通して伝送されてきた光を該ハンドピースハウジングの中心軸外周方向に向けて斜めに放射するようにしたことを特徴としたものである。
【発明の効果】
【０００７】
本発明は、上述のごとき実情に鑑みてなされたもので、ライトガイドの光出射部分の構造を改良することにより、ハンドピースの先端径を変更することなく照射範囲を広げることのできる構造を提案し、これにより、チップ先端に確実に光を当てることができ、従って、作業部位に効率良く光を照射させることができ、作業精度を向上させるようにした歯科用振動治療具を提供するものである。
【発明を実施するための最良の形態】
【０００８】
本発明は、ライトガイドを通して伝送されてくる光をハンドピースハウジングの先端部よりチップの先端部近傍に向けて照射するようにした歯科用振動治療具において、前記ハンドピースハウジングの先端部に前記チップの軸を囲むように同心円上に複数のライトガイドを設けるとともに、該ライトガイドの出光端が外周方向に向けて斜めに配設され、前記ライトガイドを通して伝送されてきた光をハンドピースの径方向に向けて放射するようにし、もって、ライトガイドの出射部分の構造を改良することにより、ハンドピースの先端部を変更することなく照射範囲を広げ、チップ先端に効果的に光を当てることができ、従って、作業部位に効率良く光を照射させ、作業精度を向上させるようにしたものである。
【実施例】
【０００９】
図１は、本発明による歯科用振動治療具の一実施例を説明するための要部概略構成図で、図中、２は振動体、４はライトガイド、５はハンドピース本体、２０は振動体２に螺着されるチップ、２０′は該チップ２０の先端に取り付けられるＵファイル或いはプラガーで、これらは、図２及び図３に示した従来技術と同様の作用をするものである。
【００１０】
而して、本発明においては、ハンドピース本体５の先端部において、ライトガイド４1，４2…４nは、振動体２の軸心Ｏ−Ｏに対して同心円上に配設され、かつ、４′にて示すように、外周方向（径方向）に向って広がるように斜めに配設されている。従って、ライトガイド４1，４2…４nの先端から放射される光Ｌは、図２に示す従来の配設方法（すなわち、ライトガイド４1，４2…４nが軸心Ｏ−Ｏに対して４”にて示すように平行に放出される方法）に比し、ライトガイド４1，４2…４nから放出される光をより広範囲に照射するようにすることができ、これによって、チップ（作業工具）の先端がどの方向を向いていても、また、その先端が軸心Ｏ−Ｏから相当離れていても、効果的に作業箇所を照明することができる。
【００１１】
なお、以上には、ライトガイド４1，４2…４nをハンドピース本体５に設けられたライトガイド挿通孔に挿入するようにした例について説明したが、必ずしも、挿通孔でなくても外周面又は内周面に上述のごとき外周側に向って延長する溝を設け、その溝内にライトガイドを配設するようにする等、任意所望の形態にて、ハンドピース本体の先端部から放射される光が外周方向（径方向）斜めに照射されるようにすることは可能である。また、全てのライトガイドを上述のように斜め径方向に向けて配設する必要はなく、一部は、図２に示した従来技術のように平行に配設するようにしてもよい。
【図面の簡単な説明】
【００１２】
【図１】本発明による歯科用振動治療具の一実施例を説明するための要部構成図である。
【図２】従来の歯科用振動治療具の一例を説明するための要部構成図である。
【図３】従来の歯科用振動治療具の一使用例を説明するための要部構成図である。
【符号の説明】
【００１３】
１…超音波振動子（又はエアー振動子）、２…振動体、３…接続プラグ部、４（４1〜４n）…ライトガイド、５…ハンドピース本体、１０…ハンドピース、２０…チップ、２０′…Ｕファイル或いはプラガー。
【図１】
2005204764.tif 000003
【図２】
2005204764.tif 000004
【図３】
2005204764.tif 000005